(57)【要約】      （修正有）【課題】Ａ４版の大きさを確保してある机であり、目線を下げすぎず、首を下に曲げることなく楽に読めるようにした車の中で使用する机を提供する。【解決手段】机となる上部の板１と机となる下部の板２の２枚の構成になっており、蝶つがいで繋げてあり、机となる上部の板１の上方には、長い楕円形のくり貫き部分を作る。又、上記の長い楕円形のくり貫き部分をハンドル４上部に掛けて使用する。机となる下部の板２の裏側に机の面の角度を起こす金属の針金状の支え５に起こしたり閉じたりできるバネを取り付け、そのバネを起こしてハンドル４の下側内径に噛ませて机の角度を起こして使い易い机にする。【選択図】図１
0003162181.tif 000002
【実用新案登録請求の範囲】
【請求項１】
本考案は、車のハンドルを利用した机であり、ハンドルの上側外径を利用し、二枚の板の構成の机となる上部の板をハンドルに被せられるように長い楕円形にくり貫いてあり、このくり貫いた部分で机となる上側を支えることを特徴とし、また、もう一つの方法としてパイプ状のものをアルファベットのＣ状に作って、机となる上部の板の裏側に空いている部分の反対部分を取り付け、パイプのＣ状の部分をハンドル上側外径に噛ませて固定することを特徴とする。
【請求項２】
本考案は、車のハンドルは縦に近い角度の位置状態にあるので、机の下部となる板の部分を持ち上げるようにしたものであり、書き物をする時手首の角度が曲がらず疲れないように机の下部を、針金状の金属を用いた支えをハンドル下側の内径部分に引っ掛けて持ち上げる構造にしており、クラクションを誤って鳴らすことも無く、手首が折れて書きにくい状態を解消するものである。
【請求項３】
本考案は、机となる下部に、紙が落ちないように、又は、本を挟んで落ちないように２センチほどの台を設けたものであり、一枚の用紙に書き物をするのであれば、最後の方を書くときにその台が手首に邪魔にならないように押せば台が押されて無くなるように工夫したものである。
【請求項４】
本考案は、樹脂または、木製とし、２つに折り畳めるようにしたものであり、２枚の板で構成する机の下に三枚目の板を水平になるように取り付けるとテーブルになり、弁当を食べるのにおかず等を載せて置けるようになり、三つ目の板のテーブルとなる板は、取り外しできるものとする。
【考案の詳細な説明】
【技術分野】
【０００１】本考案は、車のハンドルに被せて使用する机であり、書き物を書き易く、本を読み易くするために、裏側より支えを用いて机の角度を起こして、机の面がペンを持つ右手首が折れないように書きやすくしたものである。
【背景技術】
【０００２】従来は、傘の手のように掛けるものがあり、また、パイプ状のものを組んで水平にしたテーブルの部分の面積が小さいものがあった。これまで机になる板の角度を起こす機能がなかったため手首が折れて書くにも書きづらく、本を読むにも読みづらかった。
【考案の開示】
【考案が解決しようとする課題】
【０００３】最近は、どの営業部門でも伸び悩み、出張、営業報告もまめに書いておかないと難しいほどの世の中になってきており、毎日の報告書を会社側より要求されるようになったために、営業から車に戻った少しの時間でも、思いついた事、報告しなければならない事をメモしたり、書いたりしなければならないようなシビアな営業方針になってきており、本考案は、この課題の手助けになる机の場所を提供するためになされたものである。
【課題を解決するための手段】
【０００４】    本考案は、樹脂または木製であり、机となる上部の板１と机となる下部の板２を蝶つがいで繋げた構成になっていて、机となる上部の板１と机となる下部の板２を繋げた大きさをＡ４判の用紙がはみ出るほどの大きさとし、机となる上部の板１の上方には、長い楕円形をくり貫いた部分を設け、ハンドル４の上側外径に掛けて使用し、また、別の方法としてＣ状のパイプ９を設けてこれをハンドル４の上側外径に掛けて使用するものである。次に、机となる下部の板２の裏側に、机の面の角度を起こす金属の針金状の支え５に起こしたり畳んだりするバネを取り付け、そのバネを起こしてハンドル４の下側内径に噛ませて固定するものである。用紙、本が落ちないように机となる下部の板２の下方より出てくる２センチほどの台６を設け用紙、本が落ちないようにするものである。テーブルとなる板３も同様の大きさとし、机とテーブルを繋ぐ蝶つがいは、取り外しのできるものを使用し、テーブルとなる板３は水平になるように起こし、机となる下部の板２の脇にある突起部固定金具７の突起部をテーブルとなる板３の脇にある両側の突起部受け入れ穴８に差し込んで水平に固定してテーブル代わりに使用するものであり、また別の方法として両側の平板金具１５をネジの頭に掛けて固定するものである。
【考案の効果】
【０００５】このようにすれば、ほんの数分で自分専用の机、テーブルができあがり、時間に追われる営業マンのメモ、営業日報の書き込み、車の中での読書、車の中でのスケッチ、車の中での昼食等に利用できるものである。
【実施例１】
【０００６】
【図面の簡単な説明】
【０００７】
【図１】本考案を取り付けた状態の斜視図である。
【図２】本考案の机の角度を起こす支えの斜視図である。
【図３】本考案の２センチほどの台を裏面からみた拡大図である。
【図４】本考案のテーブルを固定した状態の側面図である。
【図５】本考案のＣ状パイプを使用した時の斜視図である。
【図６】本考案の机の角度を起こす支えを裏面からみた斜視図である。
【図７】本考案のテーブルを取り付ける突起金具の斜視図である。
【図８】本考案のテーブルを取り付ける平板金具の透視図である。
【符号の説明】
【０００８】１    机となる上部の板
２    机となる下部の板
３    テーブルとなる板
４    ハンドル
５    金属の針金状の支え
６    ２センチほどの台
７    突起部固定金具
８    突起部受け入れ穴
９    Ｃ状のパイプ
１０  蝶つがい
１１  取り外しのできる蝶つがい
１２  ネジ
１３  金属の針金状の支えを押さえる金具
１４  バネ
１５  平板金具
【図１】
0003162181.tif 000003
【図２】
0003162181.tif 000004
【図３】
0003162181.tif 000005
【図４】
0003162181.tif 000006
【図５】
0003162181.tif 000007
【図６】
0003162181.tif 000008
【図７】
0003162181.tif 000009
【図８】
0003162181.tif 000010
【手続補正書】
【提出日】平成22年6月2日(2010.6.2)
【手続補正１】
【補正対象書類名】実用新案登録請求の範囲
【補正対象項目名】全文
【補正方法】変更
【補正の内容】
【実用新案登録請求の範囲】
【請求項１】
車のハンドルを利用した机であり、その構造は、ハンドルの上側外径を利用するため、机となる板の上部に直角に取り付けられているハンドルの握り部分以上の幅の板部分をハンドルに被せられるように長い楕円形にくり貫いて、このくり貫いた部分で机となる上側を支えることを特徴とした車のハンドルを利用した机であり、また、パイプ状のものをアルファベットのＣ状に作って、その空いている部分の反対部分を机の上部裏側に金具にて取り付け、パイプのＣ状の部分をハンドル上側外径に噛ませて固定することを特徴とした車のハンドルを利用した机である。
【請求項２】
車のハンドルは自分から見て縦に近い角度の状態にあるので、机の下部となる部分を持ち上げて机の角度を起こすようにしたものであり、その構造は、パイプ状の支えを机の下部の板の裏側に起こしたり閉じたりできるバネを用いて取り付けてあり、机の面となる２枚の板の角度をハンドル下部より起こして、ハンドル下側内径に噛ませて固定し、机となる２枚の板の角度を持ち上げるようにしたことを特徴とする請求項１記載の車のハンドルを利用した机である。
【請求項３】
机となる下部に、机の下部の幅の長さで、各辺が約２センチ幅の横から見るとＵ字溝状の形状をしており、Ｕ字溝状のものの底辺となるところが台になり、台になる溝の裏の淵にハガネ状の板を左右に取り付け、ハガネ状の板の上部を裏側でビス固定することにより、台を押せばその台が押されて無くなるようにしたものであり、ハガネ状の板のバネの作用で元に戻ることを特徴とする請求項１記載の車のハンドルを利用した机である。
【請求項４】
この机の材質は、樹脂または木製であり、さらに一枚のテーブルとなる板を付けることにより、三つに折り畳めるようにして、テーブルとして使えるようにしたものであり、二枚の板で構成する机の下に三枚目の板が水平になるようにしてテーブルとなるようして、二枚目の机となる板と三枚目のテーブルとなる板は両サイドの金具によって角度を固定できるようにし、しかも取り外しのできる蝶つがいを用いているため取り外しできるようにしたことを特徴とする請求項１記載の車のハンドルを利用した机である。